(57)【要約】【課題】データ通信の通信管理記録をより明確に管理することができる通信端末装置を提供する。【解決手段】操作者によって通信管理レポートの印字要求操作が行われると、通信管理レポートを前回印字した時点から現時点までに実行されたデータ通信の通信管理記録が印字された通信管理レポートが出力される。そして、この出力対象期間内に実行されたデータ通信が存在しないときには、データ通信の通信管理記録が存在しないことを示すメッセージが印字された通信管理レポートが出力される。【選択図】図１
2007143075.tif 000002
【特許請求の範囲】
【請求項１】
データ通信毎の通信管理記録を保存するとともに同通信管理記録を印字した通信管理レポートを印字要求に応じて出力する通信端末装置において、
前記印字要求に対して前記通信管理記録の出力対象期間を設定する期間設定手段と、
その出力対象期間において出力すべきデータ通信の通信管理記録を印字した通信管理レポートを出力させる印字制御手段とを備え、
同印字制御手段は、前記出力対象期間内において出力すべきデータ通信の通信管理記録が存在しないときに、その通信管理記録が存在しないことを示す内容を印字した通信管理レポートを出力することを特徴とする通信端末装置。
【請求項２】
前記期間設定手段は、前回の印字要求がなされた時点から、今回の印字要求がなされた時点までの期間を前記出力対象期間として設定することを特徴とする請求項１に記載の通信端末装置。
【請求項３】
前記印字制御手段は、前記出力対象期間において実行されたデータ通信の有無に関係なく前記通信管理レポートに同一のタイトルを印字することを特徴とする請求項１又は請求項２に記載の通信端末装置。
【請求項４】
前記印字制御手段は、前記出力対象期間内に実行されたデータ通信が存在しない旨のメッセージを前記内容として前記通信管理レポートに印字することを特徴とする請求項１〜請求項３のいずれか一項に記載の通信端末装置。
【発明の詳細な説明】
【技術分野】
【０００１】
この発明は、データ通信毎の通信管理記録を保存するとともに同通信管理記録を印字した通信管理レポートを印字要求に応じて出力する通信端末装置に関するものである。
【背景技術】
【０００２】
従来、一般のファクシミリ装置においては、通信量や通信相手先等の管理を行うことができるように、データ送信及びデータ受信毎の通信相手先、通信開始時刻、通信所要時間等からなる通信管理記録を記憶部に保存するようになっている。この通信管理記録は、データ送信及びデータ受信の通信回数が例えば１００回に達したときに自動的に通信管理レポートとして印字出力されるか、あるいは、管理者の操作パネルの操作に基づく印字要求により通信管理レポートとして随時印字出力される。
【０００３】
また、特許文献１には、ポーリングが設定されていない画像データを遠隔地のファクシミリ装置からポーリング可能とする機能を備えたファクシミリ装置が記載されている。また、このファクシミリ装置においては、遠隔地のファクシミリ装置から受信データのポーリング要求があったにも拘らず受信データが存在しないときには、受信データが存在しない旨の通信結果レポートを遠隔地のファクシミリ装置に送信するようになっている。遠隔地のファクシミリの操作者は、ポーリング要求に応答して印字出力された通信結果レポートを見ることにより、ポーリング要求したファクシミリ装置においてデータ受信が行われていないことを知ることができる。
【特許文献１】特開平１０−１３５８３号公報
【発明の開示】
【発明が解決しようとする課題】
【０００４】
ところで、前記従来のファクシミリ装置においては、データ送信及びデータ受信の通信回数が例えば１００回に達しないと通信管理レポートが自動的に印字出力されないため、通信回数が少ない期間があると通信管理レポートがなかなか印字出力されなかった。一方、管理者は、通信量や通信相手先等の管理を定期的に行う場合が多い。そこで、管理者は、通信管理レポートが自動で印字出力されていない場合、自分で操作パネルを操作して通信管理レポートを印字出力させていた。さらに、多くの場合、管理者は、出力させた通信管理レポートを綴じて保管しておき、この後に通信管理記録を調べることができるようにする場合も多い。
【０００５】
ところが、前回の通信管理レポートが印字出力された時点から現時点までの期間中にデータ送信及びデータ受信が共に行われていない場合には、この期間の通信管理記録が存在しないことになる。このため、管理者が通信管理レポートを印字させるための操作をしても、この管理期間に対応する通信管理レポートは印字出力されなかった。この結果、この後に過去の通信管理記録を調べようとしたときに、この管理期間に対応する通信管理レポートが存在しないことから、この期間内にデータ通信が行われなかったのか、それとも、管理者が通信管理レポートの印字出力を忘れたのかが不明確であった。ゆえに、これまでは、通信管理記録に時間的な切れ目がある状態となり、データ通信の通信管理記録を明確に管理することができない点があった。
【０００６】
この発明の目的は、データ通信の通信管理記録をより明確に管理することができる通信端末装置を提供することにある。
【課題を解決するための手段】
【０００７】
上記目的を達成するため、請求項１に記載の発明は、データ通信毎の通信管理記録を保存するとともに同通信管理記録を印字した通信管理レポートを印字要求に基づいて出力する通信端末装置において、前記印字要求に対して前記通信管理記録の出力対象期間を設定する期間設定手段と、その出力対象期間において出力すべきデータ通信の通信管理記録を印字した通信管理レポートを出力させる印字制御手段とを備え、同印字制御手段は、前記出力対象期間内において出力すべきデータ通信の通信管理記録が存在しないときに、その通信管理記録が存在しないことを示す内容を印字した管理報告書を出力することを特徴とする。ここで、「出力対象期間において出力すべきデータ通信」とは、「出力対象期間において実行されたデータ通信」とは同一であるとは限らない。すなわち、「出力すべきデータ通信」とは、「実行されたデータ通信」、または、「実行されたデータ通信」のうちからなんらかの選択基準によって選択された限られたデータ通信を意味する。
【０００８】
請求項２に記載の発明は、請求項１に記載の発明において、前記期間設定手段は、前回の印字要求がなされた時点から、今回の印字要求がなされた時点までの期間を前記出力対象期間として設定することを特徴とする。
【０００９】
請求項３に記載の発明は、請求項１又は請求項２に記載の発明において、前記印字制御手段は、前記出力対象期間において実行されたデータ通信の有無に関係なく前記通信管理レポートに同一のタイトルを印字することを特徴とする。
【００１０】
請求項４に記載の発明は、請求項１〜請求項３のいずれか一項に記載の発明において、前記印字制御手段は、前記出力対象期間内に実行されたデータ通信が存在しない旨のメッセージを前記内容として前記通信管理レポートに印字することを特徴とする。
【発明の効果】
【００１１】
この発明によれば、印字要求に対して出力対象期間が設定され、この出力対象期間内において出力すべきデータ通信の通信管理記録が印字された通信管理レポートが出力される。また、この出力対象期間内に実行されたデータ通信が存在しないときには、データ通信の通信管理記録が存在しないことを示す内容が印字された通信管理レポートが出力される。このため、出力対象期間に入らない期間が存在しないように出力対象期間を設定することにより、実行されたデータ通信が存在するか否かが不明な期間がなくなる。従って、通信管理記録をより明確に管理することができる。
【００１２】
また、期間設定手段は、前回の印字要求がなされた時点から、今回の印字要求がなされた時点までの期間を前記出力対象期間として設定することが好ましい。この場合には、各印字要求に対して設定される出力対象期間が互いに重なることはなく、かつ、出力対象期間として設定されない期間が存在しなくなる。
【発明を実施するための最良の形態】
【００１３】
以下、この発明に係る通信端末装置を複合機に具体化した一実施形態について、図１〜図５に従って説明する。この複合機は、コピー機能、スキャナ機能及びファクシミリ機能を備えている。
【００１４】
図２に示すように、複合機１０は、ＭＰＵ（Micro Processing Unit）１１、ＲＯＭ（Read Only Memory）１２、ワークメモリ１３、読取部１４、記録部１５、操作部１６、表示部１７、画像メモリ１８、コーデック１９（ＣＯＤＥＣ；Coder-Decoder ）、モデム２０（ＭＯＤＥＭ；Modulator-Demodulator）及びネットワーク制御装置（ＮＣＵ；Network Control Unit）２１等から構成され、これら各部１１〜２１はバス２２を介してそれぞれ接続されている。この実施形態においては、ＭＰＵ１１及び操作部１６が期間設定手段を構成するとともに、ＭＰＵ１１が印字制御手段を構成する。
【００１５】
ＭＰＵ１１は、ＲＯＭ１２に記憶されているプログラムや各種情報に基づき、複合機１０の各部を制御する。ワークメモリ１３はフラッシュメモリ等からなり、複合機１０に関する各種情報を一時的に記憶する。フラットベッドスキャナ等から構成される読取部１４は、フラットベッドスキャナのプラテンガラス上に載置された原稿の画像を読み取って白黒二値のイメージデータを出力する。電子写真方式のプリンタよりなる記録部１５は、ファックス受信した画像や、コピーモードにおいて読取部１４で読み取った原稿の画像を、複数の用紙カセットのいずれかから引き出した用紙に記録する。
【００１６】
操作者により操作される操作部１６には、コピーモード、スキャナモード及びファックスモードを切り替えるモードキー（図示せず）、コピー動作、スキャナ動作又はファックス送信動作を開始させるためのスタートボタン（図示せず）、及び、電話番号等の数字を入力するためのテンキー（図示せず）が設けられている。また、操作部１６には、初期の仕様設定や、前記モード毎に各種設定を行うための機能キーを表示するタッチパネルディスプレィが設けられている。このタッチパネルディスプレィからなる表示部１７は、操作者へのメッセージや、複合機１０の動作状態等の各種表示を行う。画像メモリ１８には、データ受信された画像データ、又は、読取部１４により原稿から読み取られた画像データが一時的に記憶される。
【００１７】
コーデック１９は、ファックスモードにおけるデータ送受信等のためにイメージデータの圧縮符号化及び復号を行う。モデム２０は、ファックス伝送制御手順に従い、送信データの変調、及び、受信データの復調を行う。ネットワーク制御装置２１は、公衆電話回線との接続を制御するとともに、相手先の電話番号に対応したダイヤル信号を送出する機能、及び、着信を検出するための機能を備えている。
【００１８】
次に、ＲＯＭ１２に記憶されているプログラムによってＭＰＵ１１が実行する通信記録保存処理について説明する。この通信記録保存処理は、ファックス通信におけるデータ受信及びデータ送信の通信管理記録をワークメモリ１３の通信記録記憶領域に蓄積するものである。この通信管理情報は、「通信相手先名（以下、相手先名という。）」、「通信開始日時（以下、開始日時という。）」、「通信時間（以下、時間という。）」、「通信枚数（以下、枚数という。）」、「通信結果（以下、結果という。）」及び「備考（通信方法のことであり、中継通信、同報通信、親展通信又はポーリング通信のいずれかである。）」からなる。
【００１９】
次に、ＲＯＭ１２に記憶されているプログラムによってＭＰＵ１１が実行する通信記録印字処理について図１に示すフローチャートに従って説明する。この通信記録印字処理は、表示部１７のタッチパネルディスプレィに表示された初期メニューの機能キーの中から、操作者によって通信管理レポート印字の機能キーが選択操作されたときに実行される。この通信管理レポート印字の機能キーが選択操作されると、この通信管理レポート印字の機能キーが前回選択操作された時点から現時点までの出力対象期間に実行されたデータ通信の通信管理記録を印字した通信管理レポートを出力する処理動作が実行される。すなわち、この実施形態においては、操作者による操作によって印字要求がなされるとともに、この印字要求に対して、印字要求が前回なされた時点から現時点までの期間が出力対象期間として設定される。
【００２０】
通信記録印字処理においては、まず、ステップ（以下、Ｓと略記する。）１００において、初期メニューの通信管理レポート印字の機能キーに対する操作の有無から、前記通信管理レポートの印字要求操作が操作者によりなされたか否かが判断される。Ｓ１００で印字要求操作が行われたと判断されると、次にＳ１０１において、通信管理レポート印字の機能キーが前回操作された時点から現時点までの期間が出力対象期間として設定され、この出力対象期間内に実行されたデータ通信の通信管理記録がワークメモリ１３の通信記録記憶領域に存在するか否かが判断される。
【００２１】
Ｓ１０１で上記出力対象期間内に実行されたデータ通信の通信管理記録が存在すると判断されると、次にＳ１０２において、その通信管理記録が印字された通信管理レポートが出力される。図３に示すように、この通信管理レポート３０には、「通信管理レポート」というタイトル３１が印字されるとともに、出力対象期間３２が印字される。また、通信管理レポート３０には、データ送信とデータ受信とに分けて通信管理記録が印字される。なお、出力対象期間内にデータ送信及びデータ受信のいずれか一方のみが実行されたときには、実行されなかったデータ通信の通信管理記録は印字されない。Ｓ１０２で通信管理レポート３０が印字出力されると、この処理が終了される。
【００２２】
一方、前記Ｓ１０１において出力対象期間内に実行されたデータ通信の通信管理記録が存在しないと判断されると、次にＳ１０３において、この出力対象期間内において実行されたデータ通信が存在しないことを示す内容が印字された通信管理レポートの出力が設定されているか否かが判断される。この通信管理レポートの印字出力は、表示部１７の初期メニューの機能キーに用意されている仕様設定の機能キーを操作者が操作することにより予め設定される。Ｓ１０３において、出力対象期間内に実行されたデータ通信が存在しない場合の印字出力が設定されていると判断されると、次にＳ１０４において、この出力対象期間内に実行されたデータ通信が存在しないことを示す内容の通信管理レポートが印字出力される。図４に示すように、この通信管理レポート４０には、前記通信管理レポート３０と同一の「通信管理レポート」というタイトル４１が印字される。また、この通信管理レポート４０には、出力対象期間内に実行されたデータ送信が存在しない旨の例えば「データ送信はありません」といったようなメッセージ４２が印字されるとともに、出力対象期間内に実行されたデータ受信が存在しない旨の例えば「受信データはありません」４３といったようなメッセージが印字される。Ｓ１０４で通信管理レポート４０が印字出力されると、この処理が終了される。
【００２３】
また、前記Ｓ１０３において出力対象期間内に実行されたデータ通信が存在しない場合の印字出力が設定されていないと判断されると、次にＳ１０５において、出力対象期間内に実行されたデータ通信が存在しない旨のメッセージが表示部１７に表示される。このとき、表示部１７には、図５に示すように、例えば「データ送信はありません  受信データはありません」といったメッセージ５０が表示される。そして、Ｓ１０５で表示部１７にメッセージ５０が表示されると、この処理が終了される。
【００２４】
以上のように、この実施形態の複合機１０においては、操作者によって通信管理レポートの印字要求操作がなされたときに、通信管理レポートを前回印字した時点から現時点までに実行されたデータ通信の通信管理記録が印字された通信管理レポート３０が出力される。そして、この出力対象期間内に実行されたデータ通信が存在しないときには、データ通信の通信管理記録が存在しないことを示すメッセージ４２，４３が印字された通信管理レポート４０が出力される。このため、出力対象期間に入らない期間が存在しないので、実行されたデータ通信が存在するか否かが不明な期間がなくなる。従って、データ通信の通信管理記録をより明確に管理することができる。
【００２５】
また、出力対象期間内に実行されたデータ通信が存在しないときに出力される通信管理レポート４０には、その出力対象期間内に実行されたデータ通信が存在しない旨のメッセージ４２，４３が印字される。このため、管理者は、通信管理レポート４０のメッセージ４２，４３を見ることにより、出力対象期間内に実行されたデータ通信が存在しないことをより明確に認識することができる。
【００２６】
なお、本実施形態は、次のように変更して具体化することも可能である。
・  上記通信記録印字処理のＳ１０４において、出力対象期間内に実行されたデータ通信が存在しない旨のメッセージ４２，４３を印字せず、通信管理記録を記載しないだけの通信管理レポート４０を印字出力してもよい。この場合には、通信管理レポート３０と同じ書式の通信管理レポート４０に通信管理記録を印字していないことが、出力対象期間内に実行されたデータ通信が存在しないことを示す内容となる。
【００２７】
・  図６のフローチャートに示す通信記録印字処理のように、まず、Ｓ１００において、現在の時刻が、操作者によって予め設定された設定時刻になったか否かを判断する。このＳ１００において、現在の時刻が設定時刻になったと判断したときには、次に、Ｓ１０１において、昨日の設定時刻から本日の設定時刻までの２４時間内の通信管理記録が存在するか否かを判断する。そして、Ｓ１０１の実行後、図１のフローチャートと同じＳ１０２以下の処理を実行する。この場合には、毎日の設定時刻に通信管理レポート３０又は通信管理レポート４０が自動的に印字出力されるので、管理者は通信管理レポートを印字させるための操作を行う必要がない。なお、設定時刻にデータ送信又はデータ受信が行われていたときには、ＭＰＵ１１は、この通信記録印字処理の実行を延期し、実行中のデータ送信又はデータ受信が終了した時点で処理を実行する。そして、この処理において印字出力される通信管理レポートの通信管理記録には、設定時刻において実行中であったデータ送信又はデータ受信の通信管理記録が含まれる。この構成においては、時刻を把握するＭＰＵ１１自身によって印字要求がなされるとともに、この印字要求に対して、昨日の設定時刻から本日の設定時刻までの２４時間が出力対象期間として設定される。
【００２８】
・  図７のフローチャートに示す通信記録印字処理のように、まず、Ｓ１００において、前回の処理実行時点から設定時間が経過したか否かを判断する。このＳ１００において、設定時間が経過したと判断したときには、次に、Ｓ１０１において、この設定時間に対応する時間帯の通信管理記録が存在するか否かを判断する。そして、Ｓ１０１の実行後、図１のフローチャートにおけるＳ１０２以下の処理を実行する。この構成においては、経過時間を把握するＭＰＵ１１自身によって印字要求がなされるとともに、この印字要求に対して、前回の処理実行時点から設定時間経過した現時点までの時間帯が出力対象期間として設定される。
【００２９】
・  出力対象期間内に実行されたデータ通信のうち、例えば、複合機１０の設置後や修理後にテストで行ったデータ通信の通信管理記録を、データ通信前における操作者の指定操作に基づいて通信管理レポートに印字しない構成とする。この場合には、操作者によって指定されないデータ通信のみが、出力すべきデータ通信となる。
【００３０】
または、データ送信あるいはデータ受信の通信管理記録のみを印字した通信管理レポートを出力するように操作者が設定可能とする。この場合には、出力対象期間内に実行されたデータ送信あるいはデータ受信のみが、出力すべきデータ通信となる。
【００３１】
・  操作部１６に対する操作者の操作によって印字要求がなされるようにするとともに、この印字要求に対する出力対象期間が、操作者の操作部１６に対する操作によって任意に設定可能な構成とする。さらに、前回の印字要求に対して設定された出力対象期間を表示部１７に表示することにより、操作者が今回の印字要求に対する出力対象期間を容易に設定できる構成とする。
【図面の簡単な説明】
【００３２】
【図１】一実施形態の複合機が実行する通信記録印字処理を示すフローチャート。
【図２】複合機の構成を示すブロック図。
【図３】通信管理レポートを示す正面図。
【図４】通信管理レポートを示す正面図。
【図５】メッセージが表示された表示部を示す正面図。
【図６】他の実施形態における通信記録印字処理を示すフローチャート。
【図７】他の実施形態における通信記録印字処理を示すフローチャート。
【符号の説明】
【００３３】
１０…通信端末装置としての複合機、１１…期間設定手段を構成する印字制御手段としてのＭＰＵ、１６…期間設定手段を構成する操作部、３０，４０…通信管理レポート、３１，４１…タイトル、４２，４３，５０…メッセージ。
【図１】
2007143075.tif 000003
【図２】
2007143075.tif 000004
【図３】
2007143075.tif 000005
【図４】
2007143075.tif 000006
【図５】
2007143075.tif 000007
【図６】
2007143075.tif 000008
【図７】
2007143075.tif 000009